(57)【要約】【課題】波長の短い光を使用する場合でも長期間に亘って高い信頼性を維持でき、軽量化、低価格化を実現できる光ピックアップおよび光ディスクドライブ装置を提供する。【解決手段】光学素子１と、光学素子１を保持するホルダ２と、ホルダを記録媒体にほぼ垂直な第１の方向および／または記録媒体のトラックを横切る第２の方向に移動可能に支持する手段５ａ〜５ｄと、ホルダ２を第１の方向および／または第２の方向に駆動する手段１０と、光学素子１に光を照射する発光素子とを有する光ピックアップにおいて、ホルダ２は合成樹脂からなり、ホルダ２の光学素子１に照射される光の当たる部分の少なくとも一部に、紫外線防止コート１６を施す。また、かかる光ピックアップを搭載して光ディスクドライブ装置を構成する。【選択図】図３
2005129153.tif 000002
【特許請求の範囲】
【請求項１】
光学素子と、該光学素子を保持するホルダと、該ホルダを記録媒体にほぼ垂直な第１の方向および／または記録媒体のトラックを横切る第２の方向に移動可能に支持する手段と、上記ホルダを上記第１の方向および／または上記第２の方向に駆動する手段と、上記光学素子に光を照射する発光素子とを有する光ピックアップにおいて、
上記ホルダは合成樹脂からなり、該ホルダの上記光学素子に照射される光の当たる部分の少なくとも一部に、紫外線防止コートを施したことを特徴とする光ピックアップ。
【請求項２】
発光素子と、該発光素子から出射した光が入射する光学素子を保持するホルダとを備えたハウジングを有する光ピックアップにおいて、
上記ホルダは合成樹脂からなり、該ホルダの上記光学素子に照射される光の当たる部分の少なくとも一部に、紫外線防止コートを施したことを特徴とする光ピックアップ。
【請求項３】
発光素子と、該発光素子から出射した光が入射する光学素子とを備えたハウジングを有する光ピックアップにおいて、
上記ハウジングは合成樹脂からなり、該ハウジングの上記光学素子に照射される光の当たる部分の少なくとも一部に、紫外線防止コートを施したことを特徴とする光ピックアップ。
【請求項４】
上記紫外線防止コートは、上記発光素子側にのみ施されていることを特徴とする請求項１〜３のいずれか一項に記載の光ピックアップ。
【請求項５】
上記紫外線防止コートは、ウレタン樹脂を含む塗料からなることを特徴とする請求項１〜４のいずれか一項に記載の光ピックアップ。
【請求項６】
上記紫外線防止コートは、フッ素樹脂を含む塗料からなることを特徴とする請求項１〜４のいずれか一項に記載の光ピックアップ。
【請求項７】
光学素子と、該光学素子を保持するホルダと、該ホルダを記録媒体にほぼ垂直な第１の方向および／または記録媒体のトラックを横切る第２の方向に移動可能に支持する手段と、上記ホルダを上記第１の方向および／または上記第２の方向に駆動する手段と、上記光学素子に光を照射する発光素子とを有する光ピックアップにおいて、
上記ホルダは、合成樹脂製の少なくとも２部品を組み合わせて構成されていると共に、その少なくとも１部品は紫外線に強い合成樹脂製で、該紫外線に強い合成樹脂製の部品が上記光学素子に照射される光の当たる部分の少なくとも一部に配置されていることを特徴とする光ピックアップ。
【請求項８】
発光素子と、該発光素子から出射した光が入射する光学素子を保持するホルダとを備えたハウジングを有する光ピックアップにおいて、
上記ホルダは、合成樹脂製の少なくとも２部品を組み合わせて構成されていると共に、その少なくとも１部品は紫外線に強い合成樹脂製で、該紫外線に強い合成樹脂製の部品が上記光学素子に照射される光の当たる部分の少なくとも一部に配置されていることを特徴とする光ピックアップ。
【請求項９】
発光素子と、該発光素子から出射した光が入射する光学素子とを備えたハウジングを有する光ピックアップにおいて、
上記ハウジングは、合成樹脂製の少なくとも２部品を組み合わせて構成されていると共に、その少なくとも１部品は紫外線に強い合成樹脂製で、該紫外線に強い合成樹脂製の部品が上記光学素子に照射される光の当たる部分の少なくとも一部に配置されていることを特徴とする光ピックアップ。
【請求項１０】
上記ホルダを構成する合成樹脂製の少なくとも２部品は、インサート成形されたものであることを特徴とする請求項７または８に記載の光ピックアップ。
【請求項１１】
上記ハウジングを構成する合成樹脂製の少なくとも２部品は、インサート成形されたものであることを特徴とする請求項９に記載の光ピックアップ。
【請求項１２】
上記紫外線に強い合成樹脂は、上記発光素子側の部品であることを特徴とする請求項７〜１１のいずれか一項に記載の光ピックアップ。
【請求項１３】
上記紫外線に強い合成樹脂は、ポリアリレート樹脂であることを特徴とする請求項７〜１２のいずれか一項に記載の光ピックアップ。
【請求項１４】
上記紫外線に強い合成樹脂は、ポリエーテルイミド樹脂であることを特徴とする請求項７〜１２のいずれか一項に記載の光ピックアップ。
【請求項１５】
上記紫外線に強い合成樹脂は、ポリエーテルエーテルケトン樹脂であることを特徴とする請求項７〜１２のいずれか一項に記載の光ピックアップ。
【請求項１６】
上記紫外線に強い合成樹脂は、ポリエーテルケトン樹脂であることを特徴とする請求項７〜１２のいずれか一項に記載の光ピックアップ。
【請求項１７】
上記発光素子は、波長４５０ｎｍ以下の光を発光するものであることを特徴とする請求項１〜１６のいずれか一項に記載の光ピックアップ。
【請求項１８】
波長４５０ｎｍ以下の光を使用する光ディスクに対応する光ディスクドライブ装置において、請求項１〜１７のいずれか一項に記載の光ピックアップを搭載したことを特徴とする光ディスクドライブ装置。
【発明の詳細な説明】
【技術分野】
【０００１】
本発明は、光学的に情報の記録／再生を行うのに用いられる光ピックアップおよび該光ピックアップを搭載した光ディスクドライブ装置に関するものである。
【背景技術】
【０００２】
光学式記録再生装置は、波長７８０ｎｍの光を使用するＣＤから波長６６０ｎｍの光を使用するＤＶＤ、さらに波長４０５ｎｍの光を使用するディスクの採用と、波長を短くすることによる高密度化が進められている。光の波長を色で表現すると、赤外線の領域から、赤色、青紫色へと変化してきている。さらに波長が短くなると紫外線となる。
【０００３】
ところで、光ピックアップでは、光ディスクに光を集光する対物レンズを保持するホルダや、レーザダイオードから出射した光を平行光とするためのレンズをハウジングに固定する際に介するホルダ、あるいはハウジング自体に、低価格化や軽量化を目的として合成樹脂が多様化されている。
【０００４】
しかし、一般的に、合成樹脂は紫外線やそれに近い波長の光に弱く、上記のように波長が紫外線に近くなると、その光により合成樹脂製のホルダやハウジングが劣化してひび割れや強度低下が生じ、長期間に亘って信頼性を持たせることが難しくなってくる。
【０００５】
このような問題を解決し得るものとして、従来、対物レンズを保持するレンズホルダを、レーザダイオードから対物レンズに向う光が当たる部分はマグネシウムで形成し、他の部分は合成樹脂で形成した光ヘッド装置が知られている（例えば、特許文献１参照）。
【０００６】
この従来の光ヘッド装置によると、レンズホルダでは、光が合成樹脂に当たることがないので、紫外線に近い波長の光による合成樹脂の劣化を防止でき、高い信頼性を持たせることができる。また、このようなレンズホルダの構成を、光ピックアップ内の対物レンズ以外のレンズホルダや、ハウジングに適応することで、それらの信頼性を高めることが可能となる。
【０００７】
【特許文献１】特開平１０−６９６６５号公報
【発明の開示】
【発明が解決しようとする課題】
【０００８】
しかしながら、マグネシウムは高価であるため、合成樹脂の長所の１つである低価格化に反することになる。また、マグネシウム以外の金属を使用することも可能であるが、マグネシウム以外の金属は一般的に質量が大きく、合成樹脂の採用によって得られる他の長所の軽量化に反してしまうことになる。
【０００９】
なお、合成樹脂の中には、紫外線に強いものも存在するが、そのような合成樹脂は、剛性が低かったり、価格が高かったりするため、これによりホルダ全体を形成すると、剛性の低い低性能な装置になったり、高価な装置になったりすることになる。
【００１０】
本発明は、上記の事情に鑑みてなされたもので、波長の短い光を使用する場合でも長期間に亘って高い信頼性を維持できると共に、軽量化、低価格化を実現できる光ピックアップおよび光ディスクドライブ装置を提供することを目的とするものである。
【課題を解決するための手段】
【００１１】
上記目的を達成する請求項１に係る発明は、光学素子と、該光学素子を保持するホルダと、該ホルダを記録媒体にほぼ垂直な第１の方向および／または記録媒体のトラックを横切る第２の方向に移動可能に支持する手段と、上記ホルダを上記第１の方向および／または上記第２の方向に駆動する手段と、上記光学素子に光を照射する発光素子とを有する光ピックアップにおいて、
上記ホルダは合成樹脂からなり、該ホルダの上記光学素子に照射される光の当たる部分の少なくとも一部に、紫外線防止コートを施したことを特徴とするものである。
【００１２】
請求項２に係る発明は、発光素子と、該発光素子から出射した光が入射する光学素子を保持するホルダとを備えたハウジングを有する光ピックアップにおいて、
上記ホルダは合成樹脂からなり、該ホルダの上記光学素子に照射される光の当たる部分の少なくとも一部に、紫外線防止コートを施したことを特徴とするものである。
【００１３】
請求項３に係る発明は、発光素子と、該発光素子から出射した光が入射する光学素子とを備えたハウジングを有する光ピックアップにおいて、
上記ハウジングは合成樹脂からなり、該ハウジングの上記光学素子に照射される光の当たる部分の少なくとも一部に、紫外線防止コートを施したことを特徴とするものである。
【００１４】
請求項４に係る発明は、請求項１〜３のいずれか一項に記載の光ピックアップにおいて、上記紫外線防止コートは、上記発光素子側にのみ施されていることを特徴とするものである。
【００１５】
請求項５に係る発明は、請求項１〜４のいずれか一項に記載の光ピックアップにおいて、上記紫外線防止コートは、ウレタン樹脂を含む塗料からなることを特徴とするものである。
【００１６】
請求項６に係る発明は、請求項１〜４のいずれか一項に記載の光ピックアップにおいて、上記紫外線防止コートは、フッ素樹脂を含む塗料からなることを特徴とするものである。
【００１７】
請求項７に係る発明は、光学素子と、該光学素子を保持するホルダと、該ホルダを記録媒体にほぼ垂直な第１の方向および／または記録媒体のトラックを横切る第２の方向に移動可能に支持する手段と、上記ホルダを上記第１の方向および／または上記第２の方向に駆動する手段と、上記光学素子に光を照射する発光素子とを有する光ピックアップにおいて、
上記ホルダは、合成樹脂製の少なくとも２部品を組み合わせて構成されていると共に、その少なくとも１部品は紫外線に強い合成樹脂製で、該紫外線に強い合成樹脂製の部品が上記光学素子に照射される光の当たる部分の少なくとも一部に配置されていることを特徴とするものである。
【００１８】
請求項８に係る発明は、発光素子と、該発光素子から出射した光が入射する光学素子を保持するホルダとを備えたハウジングを有する光ピックアップにおいて、
上記ホルダは、合成樹脂製の少なくとも２部品を組み合わせて構成されていると共に、その少なくとも１部品は紫外線に強い合成樹脂製で、該紫外線に強い合成樹脂製の部品が上記光学素子に照射される光の当たる部分の少なくとも一部に配置されていることを特徴とするものである。
【００１９】
請求項９に係る発明は、発光素子と、該発光素子から出射した光が入射する光学素子とを備えたハウジングを有する光ピックアップにおいて、
上記ハウジングは、合成樹脂製の少なくとも２部品を組み合わせて構成されていると共に、その少なくとも１部品は紫外線に強い合成樹脂製で、該紫外線に強い合成樹脂製の部品が上記光学素子に照射される光の当たる部分の少なくとも一部に配置されていることを特徴とするものである。
【００２０】
請求項１０に係る発明は、請求項７または８に記載の光ピックアップにおいて、上記ホルダを構成する合成樹脂製の少なくとも２部品は、インサート成形されたものであることを特徴とするものである。
【００２１】
請求項１１に係る発明は、請求項９に記載の光ピックアップにおいて、上記ハウジングを構成する合成樹脂製の少なくとも２部品は、インサート成形されたものであることを特徴とするものである。
【００２２】
請求項１２に係る発明は、請求項７〜１１のいずれか一項に記載の光ピックアップにおいて、上記紫外線に強い合成樹脂は、上記発光素子側の部品であることを特徴とするものである。
【００２３】
請求項１３に係る発明は、請求項７〜１２のいずれか一項に記載の光ピックアップにおいて、上記紫外線に強い合成樹脂は、ポリアリレート樹脂であることを特徴とするものである。
【００２４】
請求項１４に係る発明は、請求項７〜１２のいずれか一項に記載の光ピックアップにおいて、上記紫外線に強い合成樹脂は、ポリエーテルイミド樹脂であることを特徴とするものである。
【００２５】
請求項１５に係る発明は、請求項７〜１２のいずれか一項に記載の光ピックアップにおいて、上記紫外線に強い合成樹脂は、ポリエーテルエーテルケトン樹脂であることを特徴とするものである。
【００２６】
請求項１６に係る発明は、請求項７〜１２のいずれか一項に記載の光ピックアップにおいて、上記紫外線に強い合成樹脂は、ポリエーテルケトン樹脂であることを特徴とするものである。
【００２７】
請求項１７に係る発明は、請求項１〜１６のいずれか一項に記載の光ピックアップにおいて、上記発光素子は、波長４５０ｎｍ以下の光を発光するものであることを特徴とするものである。
【００２８】
さらに、上記目的を達成する請求項１８に係る発明は、波長４５０ｎｍ以下の光を使用する光ディスクに対応する光ディスクドライブ装置において、請求項１〜１７のいずれか一項に記載の光ピックアップを搭載したことを特徴とするものである。
【発明の効果】
【００２９】
請求項１の発明によると、光学素子を保持し、第１の方向および第２の方向に移動可能なホルダを、合成樹脂製として、該ホルダの光学素子に照射される光の当たる部分の少なくとも一部に紫外線防止コートを施したので、軽量化および低価格化が図れ、かつ波長の短い光を使用する場合でも長期間に亘って高い信頼性を維持できる光ピックアップを実現することができる。
【００３０】
請求項２の発明によると、ハウジングに設置される光学素子を保持するホルダを、合成樹脂製として、該ホルダの光学素子に照射される光の当たる部分の少なくとも一部に紫外線防止コートを施したので、軽量化および低価格化が図れ、かつ波長の短い光を使用する場合でも長期間に亘って高い信頼性を維持できる光ピックアップを実現することができる。
【００３１】
請求項３の発明によると、発光素子や該発光素子から出射した光が入射する光学素子を備えるハウジングを、合成樹脂製として、該ハウジングの光学素子に照射される光の当たる部分の少なくとも一部に紫外線防止コートを施したので、軽量化および低価格化が図れ、かつ波長の短い光を使用する場合でも長期間に亘って高い信頼性を維持できる光ピックアップを実現することができる。
【００３２】
請求項４の発明によると、紫外線防止コートを発光素子側にのみ施すようにしたので、より低価格化が図れる。
【００３３】
請求項５および請求項６の各発明によると、紫外線防止コートを簡単かつ安価に形成することができる。
【００３４】
請求項７の発明によると、光学素子を保持し、第１の方向および第２の方向に移動可能なホルダを、合成樹脂製の少なくとも２部品を組み合わせた構成とし、その少なくとも１部品は紫外線に強い合成樹脂製として、光学素子に照射される光の当たる部分の少なくとも一部に配置したので、軽量化および低価格化が図れ、かつ波長の短い光を使用する場合でも長期間に亘って高い信頼性を維持できる光ピックアップを実現することができる。
【００３５】
請求項８の発明によると、ハウジングに設置される光学素子を保持するホルダを、合成樹脂製の少なくとも２部品を組み合わせた構成とし、その少なくとも１部品は紫外線に強い合成樹脂製として、光学素子に照射される光の当たる部分の少なくとも一部に配置したので、軽量化および低価格化が図れ、かつ波長の短い光を使用する場合でも長期間に亘って高い信頼性を維持できる光ピックアップを実現することができる。
【００３６】
請求項９の発明によると、発光素子や該発光素子から出射した光が入射する光学素子を備えるハウジングを、合成樹脂製の少なくとも２部品を組み合わせた構成とし、その少なくとも１部品は紫外線に強い合成樹脂製として、光学素子に照射される光の当たる部分の少なくとも一部に配置したので、軽量化および低価格化が図れ、かつ波長の短い光を使用する場合でも長期間に亘って高い信頼性を維持できる光ピックアップを実現することができる。
【００３７】
請求項１０の発明によると、ホルダを構成する合成樹脂製の少なくとも２部品がインサート成形されているので、より軽量化、低価格化および高信頼性が図れると共に、組立も容易になる。
【００３８】
請求項１１の発明によると、ハウジングを構成する合成樹脂製の少なくとも２部品がインサート成形されているので、より軽量化、低価格化および高信頼性が図れると共に、組立も容易になる。
【００３９】
請求項１２の発明によると、紫外線に強い合成樹脂製の部品が、発光素子側に配置されているので、最小限の大きさで紫外線を効果的に防止でき、より低価格化が図れる。
【００４０】
請求項１３〜１６の各発明によると、紫外線に強い合成樹脂製の部品を簡単かつ安価に製造することができる。
【００４１】
請求項１７の発明によると、波長４５０ｎｍ以下の光を発光する発光素子を用いるので、より高信頼性を発揮することができる。
【００４２】
請求項１８の発明によると、軽量化および低価格化が図れ、かつ波長の短い光を使用する場合でも長期間に亘って高い信頼性を維持できる光ディスクドライブ装置を実現することができる。
【発明を実施するための最良の形態】
【００４３】
以下、本発明の実施の形態について、図面を参照しながら説明する。なお、全ての図において、説明に不要な部品等は図示を省略していると共に、ハッチングも図が煩雑となるため一部省略している。
【００４４】
（第１実施の形態）
図１〜図３は第１実施の形態を示すもので、図１は光ピックアップを構成するレンズアクチュエータの上面図、図２は同じく要部下面図、図３は同じく側面断面図である。
【００４５】
図１および図３において、液晶ポリマーなどの合成樹脂で作られたホルダ２には、対物レンズ１、フォーカスコイル３ａ，３ｂおよびトラッキングコイル４ａ〜４ｄが接着されている。本実施の形態では、ホルダ２の全面に、紫外線防止コート１６としてウレタン樹脂を含む塗料が塗布されている。図３には、紫外線防止コート１６の塗布範囲を太線で示している。また、ホルダ２には、支持手段を構成するベリリウム銅製の４本のワイヤバネ５ａ〜５ｄ（５ａは図示せず）の一端も接着されている。これらワイヤバネ５ａ〜５ｄの一端には、ホルダ２に固定された基板６ａ，６ｂを介してフォーカスコイル３ａ，３ｂおよびトラッキングコイル４ａ〜４ｄの端末が接続されている（端末は図示せず）。また、ワイヤバネ５ａ〜５ｄの他端は、バネウケ７に接着されている。これにより、ホルダ２は、第１の方向である図示しないディスク状の記録媒体のほぼ垂直方向（Ｚ方向）および第２の方向である記録媒体のほぼ半径方向（Ｘ方向）に移動可能に支持されていることになる。
【００４６】
バネウケ７には、基板８が固定され、この基板８にワイヤバネ５ａ〜５ｄが半田付けされている。ワイヤバネ５ａ〜５ｄは、図示しないフレキシブル基板を介して、さらに外部の電気回路の接続される。ベース９の曲げ立ち上げ部１１ａ，１１ｂには、磁界を発生させる磁石１２ａ，１２ｂも固定されている。以上、ベース９上に組み立てられた対物レンズ１を駆動するための機構をレンズアクチュエータ１０と呼ぶ。
【００４７】
ホルダ２には、図２および図３に示すように、絞り１３が設けられている。この絞り１３には、図示しないレーザダイオードから出射された波長４０５ｎｍの光束１５が矢印１４の向きに入射する。光束１５は、絞り１３よりも大きく、絞り１３で制限されて一部分の光が対物レンズ１に入射するようになっている。
【００４８】
以上のように構成された本実施の形態の動作について説明する。
【００４９】
図示しない波長４０５ｎｍのレーザダイオードから出射した光は、ホルダ２の絞り１３で所定の大きさの光束にされて、対物レンズ１により図示しない記録媒体に集光する。記録媒体からの反射光は、再び対物レンズ１を通って図示しない光学部組に入射して、該光学部組内の光検出器で受光され、その出力に基づいて公知の方法によりフォーカスエラー、トラッキングエラーおよび記録信号が検出される。
【００５０】
ここで、フォーカスエラーが検出された場合は、フォーカスコイル３ａ，３ｂに電流を流すことにより、ホルダ２を記録媒体に垂直な方向に駆動してフォーカス制御が行われ、トラッキングエラーが検出された場合は、トラッキングコイル４ａ〜４ｄに電流を流すことにより、ホルダ２を記録媒体の半径方向に駆動してトラッキング制御が行われる。
【００５１】
本実施の形態によれば、紫外線に近い波長４０５ｎｍの光が合成樹脂製のホルダ２に当たるが、ホルダ２には、紫外線防止コート１６として、ウレタン樹脂を含む塗料が塗布されているので、合成樹脂そのものに光が当たるのを防止することができる。したがって、紫外線に近い波長４０５ｎｍの光による合成樹脂の劣化を有効に防止できるので、長期間に亘って信頼性の高いレンズアクチュエータ１０を実現することができる。また、紫外線防止コート１６は合成樹脂に塗料を塗布するだけで簡単に形成できるので、合成樹脂を用いることによる軽量化、低価格化という特徴を生かすことができる。
【００５２】
なお、本実施の形態では、紫外線防止コート１６として、ウレタン樹脂を含む塗料を塗布したが、これに限ることなく、フッ素樹脂を含む塗料など公知の紫外線防止コートと呼ばれる塗料を塗布することができる。
【００５３】
（第２実施の形態）
図４は、本発明の第２実施の形態に係る光ピックアップを構成するレンズアクチュエータの側面断面図である。
【００５４】
本実施の形態は、ホルダ２の全面に紫外線防止コートを施すのではなく、絞り１３の周囲の一部分（太線で範囲を示す）にのみウレタン樹脂を含む塗料を塗布して紫外線防止コート１６′を施したもので、その他の構成および動作については、第１実施の形態とほぼ同じである。
【００５５】
本実施の形態によれば、絞り１３の周囲の一部分にしか紫外線防止コート１６′であるウレタン樹脂を含む塗料が塗布されていないが、波長４０５ｎｍの光が入射するのは光束１５の範囲である。また、その周囲にもいろいろなところで反射した光などが当たるが、その強度は光束１５の範囲に比べれば弱い。したがって、光の強い光束１５の範囲の光を防げれば、第１実施の形態よりは弱いが、実使用上十分に合成樹脂の劣化を防ぐことができ、信頼性を保つことができる。また、紫外線防止コート１６′であるウレタン樹脂を含む塗料を塗布する範囲が狭くなることで、塗布にかかるコストを削減することも可能となる。
【００５６】
（第３実施の形態）
図５〜図７は本発明の第３実施の形態を示すもので、図５は光ピックアップを構成するレンズアクチュエータの側面断面図、図６は同じく要部下面図、図７は同じく下面図である。
【００５７】
本実施の形態は、第１、第２実施の形態に示したホルダ２を、図５に示すように、ホルダ１７とホルダ１８との２部品で構成したものである。ここで、ホルダ１７は合成樹脂液晶ポリマー製となっている。また、ホルダ１８は合成樹脂製であるが、ホルダ１７と異なる材質であるポリアリレート樹脂製となっている。これらホルダ１７，１８は、ホルダ１７に設けられた穴部１９に、ホルダ１８の円形凸部１８ａを嵌合する形で位置決めして接着固定されている。絞り１３は、ホルダ１８に設けられている。穴部１９と円形凸部１８ａとの嵌合は軽圧入とされ、ガタによる対物レンズ１と絞り１３との中心ずれの要因が増えるのを防いでいる。
【００５８】
ホルダ１８の絞り１３の周辺は、断面が山状とされ、面１８ｂがＸＹ平面と非平行になっている。これは、矢印１４のように、ＸＹ平面と垂直に対物レンズ１に入射する光が、面１８ｂで矢印１４と正反対の向きに反射して戻ることを防ぐためである。このように、面１８ｂをＸＹ平面と非平行とすることにより、ここで反射した光の方向は矢印１４と角度を持つことになって出射したところには戻らなくなり、レーザダイオードから所望のパワーの光を安定して出射させることができる。その他の構成および動作については、第１、第２実施の形態とほぼ同じである。
【００５９】
本実施の形態によれば、紫外線に近い波長４０５ｎｍの光は、ホルダ１８に当たり、ホルダ１７にはほとんど当たらない。ここで、ホルダ１８は、ポリアリレート樹脂で形成されているので、紫外線による劣化がほとんどない。したがって、ホルダ１７が紫外線に近い波長４０５ｎｍの光で劣化することを防止でき、長期間に亘って信頼性の高いレンズアクチュエータを実現することができる。また、ポリアリレート樹脂は剛性が低く、ホルダ全体をポリアリレート樹脂で形成すると、剛性の低い低性能なレンズアクチュエータとなってしまうが、ホルダの大部分を剛性の高い液晶ポリマーで形成することで、ホルダ全体の剛性を保つことができ、性能を維持することができる。さらに、共振が起きた場合に、異なる剛性のホルダの組み合わせで、その間で振動エネルギーが熱に変わることなどによる防振効果も期待できる。また、２つの合成樹脂製のホルダ１７，１８を組み合わせて一つのホルダを構成しているので、合成樹脂の特徴である低価格化および軽量化も錐持できる。
【００６０】
なお、本実施の形態では、ホルダ１８をポリアリレート樹脂で形成したが、ポリエーテルイミド樹脂で形成しても良い。ポリエーテルイミド樹脂も、紫外線に十分強いので、長期間に亘って信頼性の高いレンズアクチュエータを実現することができる。また、ポリエーテルイミド樹脂は、剛性が高いのでホルダ全体をポリエーテルイミド樹脂とすることも可能であるが、ポリエーテルイミド樹脂は高価であるので、光の当たる部分にのみポリエーテルイミド樹脂を用いることで、低価格化を図ることができる。
【００６１】
また、本実施の形態では、ホルダ１７，１８を接着により固定したが、両者をインサート成形により一体成形しても良い。このようにすれば、両者を強固につけることができると共に、組立を容易にすることができる。
【００６２】
（第４実施の形態）
図８および図９は本発明の第４実施の形態を示すもので、図８は光ピックアップを構成するレンズアクチュエータの側面断面図、図９は同じく要部下面図である。
【００６３】
本実施の形態は、第３実施の形態において、ホルダ１８をリング状の小さなものとしたもので、その他の構成および動作については、第３実施の形態とほぼ同じである。
【００６４】
本実施の形態によれば、絞り１３の周囲の一部分にしかホルダ１８が存在しないが、波長４０５ｎｍの光が来るのは光束１５の範囲である。また、その周囲にもいろいろなところで反射した光などが当たるが、その強度は光束１５の範囲に比べれば弱い。したがって、光の強い光束１５の範囲の光を防げれば、第３実施の形態よりは弱いが、実使用上十分にホルダ１７の劣化を防ぐことができ、信頼性を保つことができる。また、ホルダ１８を小さくすることで、ホルダ１８を安くできると共に、組立も容易にできる。
【００６５】
（第５実施の形態）
図１０および図１１は本発明の第５実施の形態を示すもので、図１０は光ピックアップを構成するレンズアクチュエータの側面断面図、図１１は同じく要部下面図である。
【００６６】
本実施の形態は、２部品からなるホルダのうち、ホルダ１８を第４実施の形態とは逆にホルダ１７のＺ（−）方向面のほぼ全面を覆うような形状に大型化したもので、その他の構成および動作については、第３実施の形態とほほ同じである。
【００６７】
本実施の形態によれば、ホルダ１８が大きいので、波長４０５ｎｍの光がいろいろなところで反射して散乱した光がホルダ１７に当たって、ホルダ１７が劣化するのを有効に防止でき、非常に高い信頼性を実現するができる。また、ホルダ１７による防振効果も大きくすることができる。
【００６８】
以上の第３〜第５実施の形態では、ホルダを２部品で構成したが、必要に応じて３部品以上で構成しても良い。例えば、第４実施の形態において、対物レンズ１から出射した光は図示しない記録媒体で反射するが、その反射光がホルダ１７のＺ（＋）方向側の面に当たる可能性がある場合には、このＺ（＋）方向側にもホルダ１８と同じ材質のリング状のホルダを接合しても良い。
【００６９】
また、ホルダ１８は、上記した以外の樹脂、例えば、ポリエーテルエーテルケトン樹脂、ポリエーテルケトン樹脂等でも良い。
【００７０】
（第６実施の形態）
図１２〜図１４は本発明の第６実施の形態を示すもので、図１２は光ピックアップの上面図、図１３は同じく側面断面図、図１４は同じく一部説明図である。
【００７１】
本実施の形態において、対物レンズ１を備えたレンズアクチュエータ１０については、第１実施の形態と同じである。レンズアクチュエータ１０は、そのベース９に分割して設けられた４つの球面部２５ａ〜２５ｄ（２５ａ，２５ｃは図示せず）を、ポリフェニリンサルファイド樹脂で形成されたハウジングであるキャリッジ２１の球面部２６に摺り合わせることで、対物レンズ１が正しく図示しない記録媒体に向くように傾き調整して、キャリッジ２１に固定する。
【００７２】
キャリッジ２１には、オイルレスメタル２３ａ，２３ｂ（２３ａは図示せず）が固定されており、これらオイルレスメタル２３ａ，２３ｂに軸２２ａが通されている。また、キャリッジ２１には、一体に軸受部２４が設けられ、この軸受部２４に軸２２ｂが通されている。軸２２ａは、オイルレスメタル２３ａ，２３ｂの潤滑性で摺動するので何も塗布しないが、軸２２ｂについては、キャリッジ２１と直接摺動することになるため、潤滑剤としてグリースが塗布されている。軸２２ａ，２２ｂは、図示しないデッキベースにディスク状の記録媒体の半径方向（Ｘ方向）に固定されている。したがって、キャリッジ２１は、デッキベースに対して記録媒体の半径方向に移動可能に支持されていることになる。
【００７３】
キャリッジ２１には、波長４０５ｎｍのレーザ光を発光するレーザダイオード２７が、イタ２８を介して、該イタ２８が延びる平面内（光軸に垂直な平面）で位置調整可能に取り付けられている。
【００７４】
レーザダイオード２７から対物レンズ１までの光路には、回折格子２９、ビーム整形レンズ３２、ビームスプリッタ４０、１／４波長板４１およびコリメータレンズ４２が順次配置されている。
【００７５】
回折格子２９は、ホルダ３０を介してキャリッジ２１に固定されている。ホルダ３０は、合成樹脂の液晶ポリマーで形成され、その表面の一部に紫外線防止コート３１としてフッ素樹脂を含む塗料が塗布されている（塗布範囲を太線で示す）。ホルダ３０は、円筒状外形を持ち、これをキャリッジ２１に形成された円筒状穴部に入れることで、回折格子２９を光軸に対して回転調整可能に保持している。
【００７６】
ビーム整形レンズ３２は、ホルダ３３およびホルダ３４の２部品からなるホルダを介してキャリッジ２１に固定されている。ここで、ホルダ３３は合成樹脂の液晶ポリマーで形成され、ホルダ３４は合成樹脂のポリアリレート樹脂で形成されている。この２部品からなるホルダは、ビーム整形レンズ３２を光軸方向に位置調整可能なように、図１４に示すように（図１４では、外側にあるホルダ３３のみを示す）、ネジ３６およびバネ性を持つ薄い金属イタ３５により、光軸方向にはスライド可能に、キャリッジ２１に設けられた２つの壁面３７，３８に押しつけられるように矢印３９の向きに力を受けて、キャリッジ２１に固定されている。
【００７７】
ビームスプリッタ４０は、ホルダ等を介さずに直接キャリッジ２１に接着固定されており、１／４波長板４１は、ビームスプリッタ４０に接合されている。
【００７８】
コリメータレンズ４２も、ホルダ等を介さずに直接キャリッジ２１に接着されており、そのレーザダイオード２７側には、ポリアリレート樹脂で形成された筒４３がキャリッジ２１に接着固定されている。
【００７９】
また、レーザダイオード２７からの往路の光がビームスプリッタ４０で反射される位置には、フォトディテクタ４４が固定されている。フォトディテクタ４４の周囲のキャリッジ２１の壁には、紫外線防止コート５１としてフッ素樹脂を含む塗料が塗布されている（塗布範囲を太線で示す）。
【００８０】
一方、レーザダイオード２７から記録媒体に到達して反射された復路の光が、ビームスプリッタ４０で反射される位置には、集光レンズ４５が金属製の鏡筒４６を介してキャリッジ２１に固定されている。鏡筒４６は、ビーム整形レンズ３２のホルダ３３，３４と同様に、ネジとバネ性を持つ薄い金属イタで固定されている。
【００８１】
集光レンズ４５を通った光が進む先には、フォトディテクタ４７がイタ４８を介してキャリッジ２１に固定されている。集光レンズ４５を通った記録媒体からの反射光は、キャリッジ２１に形成された穴部４９を通ってフォトディテクタ４７で受光されるようになっており、その光が通る穴部４９およびその周辺のキャリッジ２１の壁には、紫外線防止コート５０としてフッ素樹脂を含む塗料が塗布されている（塗布範囲を太線で示す）。
【００８２】
以上のように構成された本実施の形態の動作について説明する。
【００８３】
レーザダイオード２７より発せられたレーザ光は、回折格子２９に入射して、トラッキング信号検出をディファレンシャルプッシュプル方式で行うために、０次光と±１次光とに分けられた後、ビーム整形プリズム３２でビーム整形されて、ビームスプリッタ４０および１／４波長板４１を経由してコリメータレンズ４２に入射し、ここで平行光にされて対物レンズ１により記録媒体上にスポット状に照射される。また、ビームスプリッタ４０に入射した光の一部は、該ビームスプリッタ４０で反射されてフォトディテクタ４４で受光され、その出力に基づいてレーザダイオード２７の発光量の調整が行われる。
【００８４】
一方、記録媒体からの反射光は、再び対物レンズ１を通り、往路の逆を戻ってビームスプリッタ４０に入射し、ここで戻り光は反射されて、集光レンズ４５を通過してフォトディテクタ４７で受光され、その出力に基づいて公知の方法によりフォーカスエラー、トラッキングエラーおよび記録信号が検出される。
【００８５】
ここで、フォーカスエラー、トラッキングエラーが検出された場合の対物レンズ１の駆動方法は、第１実施の形態で述べたのと同じである。また、異なるトラックにアクセスする場合には、図示しない駆動手段によりキャリッジ２１ごと対物レンズ１を備えたホルダ２を記録媒体の半径方向に駆動する。以上のようにして、ホルダ２およびそれに固定された対物レンズ１は、フォーカス制御、トラッキング制御、アクセス制御される。
【００８６】
本実施の形態によれば、紫外線に近い波長４０５ｎｍの光が、回折格子２９を保持する合成樹脂製のホルダ３０に当たるが、ホルダ３０には紫外線防止コート３１として、フッ素樹脂を含む塗料が塗布されているので、合成樹脂そのものに光が当たることがない。したがって、ホルダ３０が紫外線に近い波長４０５ｎｍの光で劣化するのを防止できるので、長期間に亘って信頼性が高い光ピックアップを実現することができる。また、紫外線防止コート３１は、合成樹脂からなるホルダ３０に塗料を塗布するだけで簡単に形成できるので、ホルダ３０を合成樹脂で形成することによる軽量化および低価格化という特徴と生かすことができる。
【００８７】
同様に、紫外線防止コート５０，５１を施した部分では、紫外線に近い波長４０５ｎｍの光が合成樹脂製のキャリッジ２１に当たるのを防止できるので、キャリッジ２１の劣化を防止でき、長期間に亘って信頼性が高い光ピックアップを実現することができると共に、紫外線防止コート５０，５１は、合成樹脂からなるキャリッジ２１に塗料を塗布するだけで形成できるので、キャリッジ２１を合成樹脂で形成することによる軽量化および低価格化という特徴と生かすことができる。
【００８８】
また、ビーム整形プリズム３２を保持するホルダ３３，３４の部分では、紫外線に近い波長４０５ｎｍの光は、ホルダ３４に当たり、ホルダ３３にはほとんど当たらない。ここで、ホルダ３４はポリアリレート樹脂で形成されており、紫外線での劣化がほとんどないので、ホルダ３３が紫外線に近い波長４０５ｎｍの光で劣化するのを防止でき、長期間に亘って信頼性が高い光ピックアップを実現することができる。
【００８９】
なお、ポリアリレート樹脂は剛性が低いため、ビーム整形プリズム３２のホルダ全体をポリアリレート樹脂で形成すると、押さえる金属イタ３５の力で変形してしまう等の不都合が生じるが、本実施の形態のようにホルダを、ポリアリレート樹脂からなるホルダ３４と、剛性の高い液晶ポリマーからなるホルダ３３との２部品で構成することにより、ホルダ全体の剛性を保つことができ、上記の不都合を回避することができる。また、ホルダ３３，３４は、ともに合成樹脂からなるので、その特徴である低価格化、軽量化を維持することができる。
【００９０】
また、コリメータレンズ４２を固定するキャリッジ２１のレーザダイオード２７側に、ポリアリレート樹脂からなる筒４３を設けることにより、この部分でのキャリッジ２１の紫外線による劣化を防止することができ、長期間に亘って信頼性の高い光ピックアップを実現することができると共に、キャリッジ２１を合成樹脂で形成することによる軽量化および低価格化という特徴と生かすことができる。
【００９１】
集光レンズ４５を保持する鏡筒４６については、金属製であるので上記のような紫外線からの保護は不要である。なお、金属は高価であるが、合成樹脂よりも温度による線膨張係数が小さいので、温度によって光学部品が動いては都合の悪い場所にのみ金属を使用し、他の部分は上記のように合成樹階を紫外線から保護するように構成することで、合成樹脂を多用した安価な光ピックアップを実現することができる。
【００９２】
なお、本実施の形態において、ホルダやキャリッジに施した紫外線防止コートや、ホルダを２部品で構成して紫外線による劣化を防ぐ方法は、第１〜第５実施の形態で示したレンズアクチュエータ１０のホルダ２に施したさまざま方法を適応することが可能である。また、ハウジングであるキャリッジを合成樹脂製の少なくとも２部品を組み合わせて構成すると共に、その少なくとも１部品を紫外線に強い合成樹脂製として、これを光学素子に照射される光の当たる部分の少なくとも一部に配置するように構成することもできる。さらに、本実施の形態では、紫外線防止コートを部分的にしか施していないが、第１実施の形態のレンズアクチュエータ１０のように、部品全体に対して施しても良い。
【００９３】
また、光学系についても、種々の変形が可能である。例えば、光路中に球面収差を補正する光学部品を挿入してもよく、その光学部品を保持するホルダにも、紫外線防止コートを施したり、あるいはホルダを２部品で構成したりしても良い。
【００９４】
なお、本発明は上記実施の形態にのみ限定されるものではなく、幾多の変形または変更が可能である。例えば、使用する光の波長は、４０５ｎｍに限らず、４５０ｎｍ以下の波長であれば、同様の効果を得ることができる。また、レーザダイオード等の発光素子からは、１つの波長の光のみが出ているわけではなく、その他の波長の光も出ること、波長変動もあることから、波長４５０ｎｍを越える光を発光する発光素子を用いる場合であっても、効果を得ることができる。
【００９５】
さらに、上記の実施の形態に係る光ピックアップを搭載して光ディスクドライブ装置を構成することもでき、これにより光ディスクドライブ装置の信頼性を向上させることができる。
【図面の簡単な説明】
【００９６】
【図１】本発明の第１実施の形態に係る光ピックアップを構成するレンズアクチュエータの上面図である。
【図２】同じく、要部下面図である。
【図３】同じく、側面断面図である。
【図４】本発明の第２実施の形態に係る光ピックアップを構成するレンズアクチュエータの側面断面図である。
【図５】本発明の第３実施の形態に係る光ピックアップを構成するレンズアクチュエータの側面断面図である。
【図６】同じく、要部下面図である。
【図７】同じく、下面図である。
【図８】本発明の第４実施の形態に係る光ピックアップを構成するレンズアクチュエータの側面断面図である。
【図９】同じく、要部下面図である。
【図１０】本発明の第５実施の形態に係る光ピックアップを構成するレンズアクチュエータの側面断面図である。
【図１１】同じく、要部下面図である。
【図１２】本発明の第６実施の形態に係る光ピックアップの上面図である。
【図１３】同じく、側面断面図である。
【図１４】同じく、一部説明図である。
【符号の説明】
【００９７】
１  対物レンズ
２  ホルダ
３ａ，３ｂ  フォーカスコイル
４ａ〜４ｄ  トラッキングコイル
５ａ〜５ｄ  ワイヤバネ
６ａ，６ｂ，８  基板
７  バネウケ
９  ベース
１０  レンズアクチュエータ
１１ａ，１１ｂ  曲げ立ち上げ部
１２ａ，１２ｂ  磁石
１３  絞り
１５  光束
１６，１６′  紫外線防止コート
１７，１８  ホルダ
１８ａ  円形凸部
１８ｂ  面
１９  穴部
２１  キャリッジ
２２ａ，２２ｂ  軸
２３ａ，２３ｂ  オイルレスメタル
２４  軸受部
２５ａ〜２５ｄ，２６  球面部
２７  レーザダイオード
２８  イタ
２９  回折格子
３０  ホルダ
３１  紫外線防止コート
３２  ビーム整形レンズ
３３，３４  ホルダ
３５  金属イタ
３６  ネジ
３７，３８  壁面
４０  ビームスプリッタ
４１  １／４波長板
４２  コリメータレンズ
４３  筒
４４  フォトディテクタ
４５  集光レンズ
４６  鏡筒
４７  フォトディテクタ
４８  イタ
４９  穴部
５０，５１  紫外線防止コート
【図１】
2005129153.tif 000003
【図２】
2005129153.tif 000004
【図３】
2005129153.tif 000005
【図４】
2005129153.tif 000006
【図５】
2005129153.tif 000007
【図６】
2005129153.tif 000008
【図７】
2005129153.tif 000009
【図８】
2005129153.tif 000010
【図９】
2005129153.tif 000011
【図１０】
2005129153.tif 000012
【図１１】
2005129153.tif 000013
【図１２】
2005129153.tif 000014
【図１３】
2005129153.tif 000015
【図１４】
2005129153.tif 000016